(57)【特許請求の範囲】
【請求項１】
少なくとも一端に受口部を有するソケットと、このソケットの受口部に相対回転可能に挿入される挿入側先端部を有する挿し口体と、前記受口部と前記挿入側先端部との重合面間に介在したシールリングと、前記受口部の外周に装着されるストッパーリングとを備えた管継手であって、前記挿し口体は前記挿入側先端部の外周に抜止め溝を円周方向に設けており、前記ストッパーリングは開離両端部を有するＣ形状に形成されて弾性で拡縮変形自在なリング本体と、このリング本体の内周に内向きに一体に突設した複数個の抜止め爪とを有する形に形成しており、前記ソケットは、前記受口部の外周に、前記ストッパーリングが取外し可能に嵌め込まれるストッパーリング収容凹溝を前記抜止め溝の外周に対応するように設け、該ストッパーリング収容凹溝の溝底に、前記ストッパーリングの抜止め爪を挿通させて該抜止め爪の先端部を前記受口部の内方へ突出させる爪挿通孔を設けており、前記爪挿通孔から突出する前記抜止め爪の先端部は前記抜止め溝に係合されており、前記ソケットの外周に、筒状の合成樹脂製のソケットカバーを少なくとも前記リング本体の外周を覆うように被覆嵌合しており、前記ソケットカバーの軸方向一端の開口端の内周に、前記リング本体の外周を覆う金属製の補強リングを一体にインサート成形するか若しくは嵌合固定していることを特徴とする、管継手。
【請求項２】
前記ソケットの他端には前記受口部の外径より小さい外径の小径管部を前記受口部に段部を介して連設し、前記リング本体の外周を覆う状態にある前記ソケットカバーの軸方向他端の開口端に、前記ソケットの段部に当接係合する内向き鍔を設けている、請求項１記載の管継手。
【請求項３】
前記ソケットの小径管部の外周に、前記ソケットの段部に当接係合する内向き鍔が抜止め状に係合する環状リブを設けている、請求項２記載の管継手。
【請求項４】
前記内向き鍔の内周縁に切欠を形成している、請求項３記載の管継手。
【請求項５】
前記ソケットカバーは透明もしくは半透明に形成している、請求項１ないし４のいずれか1項に記載の管継手。
【請求項６】
前記ストッパーリングの抜止め爪の先端部一側面に、該ストッパーリングの装着状態下で前記受口部に前記挿し口体の挿入側先端部の挿入を許すスライド斜面が形成されている、請求項１ないし５のいずれか１項に記載の管継手。
【請求項７】
前記ソケットに樹脂管の一端部を接合している、請求項１ないし６のいずれか１項に記載の管継手。
【発明の詳細な説明】
【技術分野】
【０００１】
本発明は、給水・給湯、冷温水、冷却水等の配管、消火配管などに用いられ、それら配管の一端部を給水栓等の器具に接続するのに用いられる管継手に関する。
【背景技術】
【０００２】
給水・給湯等の配管に用いられる管継手として、例えば、図１０に示すような管継手が提案されている（例えば、特許文献１参照。）。この管継手は、給水栓等の器具に接続可能でかつ一端に受口部３０を開口した継手本体３１と、継手本体３１の受口部３０に挿入されるソケット３２と、継手本体３１の受口部３０の外周に設けられた雄ねじ３３に螺合されるナット（押輪）３４と、受口部３０の開口端内周とソケット３２の外周との間に介在されるワッシャ３５、Ｏリング３６、環状リーフ３７とを備える。
【０００３】
この管継手の現場施工に際しては、先ず、継手本体３１を給水栓等器具に接続する一方、ソケット３２にワッシャ３５、Ｏリング３６、環状リーフ３７、更にはナット３４をこの順で挿入しておき、ソケット３２に給水管Ｐを挿入して接着接合したうえで、ソケット３２をこの挿入側先端が継手本体２１の受口部３０に該受口部３０内のストッパーリブ３８に当接するまで挿入するとともに、ナット３４を継手本体３１に締付けるというものである。
【０００４】
【特許文献１】特開２００３−２２７５８９号公報
【発明の開示】
【発明が解決しようとする課題】
【０００５】
しかしながら、上記管継手では、現場での施工終了後に、ナット３４の締付け不足を確認し難いという締付け管理面での問題がある。このため、振動や外部からの荷重等によりナット３４の締付けが緩むと、給水管Ｐ内の水が漏洩する可能性がある。また、ナット３４を継手本体３１に対し締付ける構造上、呼び径が小口径でも、継手本体３１の外周及びナット３４の外周に六角形や八角形など多角形の工具掛け部３１ａ，３４ａを形成しておく必要があるため、その分だけ継手本体３１及びナット３４が大きくなり、継手全体の材料コストアップ、大型化を招き、重量的にも重くなるという難点があった。
【０００６】
本発明はこのような問題を解決するためになされたものであり、その目的とするところは、前述した従来の管継手のようなナット（押輪）の使用を省略化することでコスト低減、小型化、コンパクト化を図り得、またナットの締付け作業の省略化により組立て作業性の向上を図れ、しかも施工後のナットの緩み問題も解消できて水漏れ事故の発生を確実に防止できて信頼性の高い管継手を提供することにある。
また、本発明の他の目的は、不慮に何らかの外力や内圧による力によりストッパーリングがストッパーリング収容凹溝から外れるのを防止でき、またソケットまたは挿し口体に引き抜き力が加えられたときストッパーリングがストッパーリング収容凹溝内でねじれ変形したり、ストッパーリングが給湯等でストッパーリング収容凹溝内で熱変形するのを抑えることのできる管継手を提供することにある。
【課題を解決するための手段】
【０００７】
本発明の管継手は、請求項１に記載のように、その発明の内容を理解しやすくするために図１〜図９に付した符号を参照して説明すると、少なくとも一端に受口部（１０）を有するソケット（２）と、このソケットの受口部に相対回転可能に挿入される挿入側先端部（６）を有する挿し口体（１）と、前記受口部（１０）と前記挿入側先端部（６）との重合面間に介在したシールリング（４）と、前記受口部（１０）の外周に装着されるストッパーリング（３）とを備えた管継手であって、前記挿し口体（１）は前記挿入側先端部（６）の外周に抜止め溝（８）を円周方向に設けており、前記ストッパーリング（３）は開離両端部（３ｂ）を有するＣ形状に形成されて弾性で拡縮変形自在なリング本体（３ａ）と、このリング本体（３ａ）の内周に内向きに一体に突設した複数個の抜止め爪（９）とを有する形に形成しており、前記ソケット（２）は、前記受口部（１０）の外周に、前記ストッパーリング（３）が取外し可能に嵌め込まれるストッパーリング収容凹溝（１１）を前記抜止め溝（８）の外周に対応するように設け、該ストッパーリング収容凹溝（１１）の溝底に、前記ストッパーリング（３）の抜止め爪（９）を挿通させて該抜止め爪の先端部を前記受口部（１０）の内方へ突出させる爪挿通孔（１２）を設けており、前記爪挿通孔（１２）から突出する前記抜止め爪（９）の先端部は前記抜止め溝（８）に係合されており、前記ソケット（２）の外周に、筒状の合成樹脂製のソケットカバー（５）を少なくとも前記リング本体（３ａ）の外周を覆うように被覆嵌合しており、前記樹脂製のソケットカバー（５）の軸方向一端の開口端の内周に、前記リング本体（３ａ）の外周を覆う金属製の補強リング（１４）を一体にインサート成形するか若しくは嵌合固定していることに特徴を有するものである。
【０００８】
このような構成によれば、挿し口体（１）の挿入側先端部（６）をソケット（２）の受口部（１０）に挿入し、ストッパーリング（３）をストッパーリング収容凹溝（１１）に嵌め込むことによりストッパーリング（３）の抜止め爪（９）の先端部が抜止め溝（８）に係合するため、ソケット（２）と挿し口体（１）とを抜止め状にかつシール状にワンタッチで簡易迅速に接続することができる。
ストッパーリング（３）はストッパーリング収容凹溝（１１）に取外し可能に嵌め込まれるので、一旦挿し口体（１）とソケット（２）を接続した後においても、人為的にストッパーリング（３）をストッパーリング収容凹溝（１１）から取り外すことができ、ストッパーリング（３）の脱着操作により挿し口体（１）とソケット（２）の分離・接続を簡易、迅速に行うことができる。
【０００９】
ソケット（２）の外周に、筒状の樹脂製のソケットカバー（５）を少なくともリング本体（３ａ）の外周を覆うように被覆嵌合するので、そのソケットカバー（５）は、不慮に何らかの外力や内圧による力によりストッパーリング（３）がストッパーリング収容凹溝（１１）から外れるのを防止し、またソケット（２）または挿し口体（１）に引き抜き力が加えられたときストッパーリング（３）がストッパーリング収容凹溝（１１）内でねじれ変形したり、ストッパーリング（３）が給湯等でストッパーリング収容凹溝（１１）内で熱変形するのを抑える機能をも発揮する。これにより、ストッパーリング（３）によるソケット（２）と挿し口体（１）の抜止め状の接続状態を堅持することができる。さらに、ソケットカバー（５）は、ストッパーリング（３）がストッパーリング収容凹溝（１１）に規定通り嵌め込まれている状態ではじめてソケット（２）に嵌合することができ、仮にストッパーリング（３）がストッパーリング収容凹溝（１１）にその一部がはみ出る等して規定通り嵌め込まれていないと、ソケットカバー（５）をソケット（２）に対し嵌合できないことになる。したがって、ソケットカバー（５）をソケット（２）に対し嵌合できるか否かによってストッパーリング（３）がストッパーリング収容凹溝（１１）に規定通り嵌め込まれているか否かを簡単に確認することができる。
【００１０】
ソケットカバー（５）それ自体がポリエチレン等で成形される場合も補強機能を十分に確保できる。
【００１１】
請求項１記載の管継手は、請求項２に記載のように、前記ソケット（２）の他端には前記受口部（１０）の外径より小さい外径の小径管部（２ｂ）を前記受口部（１０）に段部（２ｃ）を介して連設し、前記リング本体（３ａ）の外周を覆う状態にある前記ソケットカバー（５）の軸方向他端の開口端に、前記ソケット（２）の段部（２ｃ）に当接係合する内向き鍔（５ａ）を設けることができる。これによれば、ソケットカバー（５）を内向き鍔（５ａ）がソケット（２）の段部（２ｃ）に当接するまでソケット（２）に嵌合することにより、ソケットカバー（５）をソケット（２）に対し簡単かつ確実に装着することができる。したがって、内向き鍔（５ａ）はソケットカバー（５）のソケット（２）に対する位置決め機能を発揮することができる。
【００１２】
請求項２記載の管継手は、請求項３に記載のように、前記ソケット（２）の小径管部（２ｂ）の外周に、前記ソケット（２）の段部（２ｃ）に当接係合する内向き鍔（５ａ）が抜止め状に係合する環状リブ（１８）を設けることができる。これによれば、ソケットカバー（５）がソケット（２）から抜け出るのを防止でき、ソケットカバー（５）による上記ストッパーリング（３）の外れ防止機能、補強機能を維持できる。この場合、請求項３記載の管継手は、請求項４に記載のように、前記内向き鍔（５ａ）の内周縁に切欠（１５）を形成することができる。これによれば、ソケットカバー（５）をソケット（２）の外周に嵌合させるとき、内向き鍔（５ａ）は弾性変形により環状リブ（１８）を乗り越え易くなる。
【００１３】
請求項１ないし４のいずれか1項に記載の管継手は、請求項５に記載のように、前記ソケットカバー（５）は透明もしくは半透明に形成することができる。これによれば、ソケットカバー（５）を嵌合した後においても該ソケットカバー（５）の外部からストッパーリング（３）が装着されているか否かを容易に透視確認することができる。
【００１４】
請求項１ないし５のいずれか１項に記載の管継手は、請求項６記載のように、前記ストッパーリング（３）の抜止め爪（９）の先端部一側面に、該ストッパーリング（３）の装着状態下で前記受口部（１０）に前記挿し口体（１）の挿入側先端部（６）の挿入を許すスライド斜面（１３）が形成することができる。これによれば、ソケット（２）のストッパーリング収容凹溝（１１）にストッパーリング（３）を装着した後にも、このソケット（２）の受口部（１０）を挿し口体（１）の挿入側先端部（６）にワンタッチで挿入することができる。
【００１５】
請求項１ないし６のいずれか１項に記載の管継手は、請求項７記載のように、前記ソケット（２）に樹脂管（Ｐ）の一端部を接合することができる。これによれば、挿し口体（１）とソケット（２）とが相対回転可能に挿入されることと相俟って、ソケット（２）に樹脂管（Ｐ）を接合した後でも、給水栓、バルブ等器具や管、あるいは管継手にソケット（２）をねじ込む等の接合手段で取り付けることができ、そのねじ込みによりソケット（２）の取付けが簡易に行える。
【発明の効果】
【００１６】
本発明によれば、挿し口体の挿入側先端部をソケットの受口部に挿入し、ストッパーリングをストッパーリング収容凹溝に嵌め込むことにより挿し口体とソケットとを抜止め状にかつシール状に接続することができ、前述した従来の管継手のような多角形の工具掛け部を有するナット（押輪）は省略することができるのでコスト低減、小型化、コンパクト化を図ることができ、しかもナットの締付け作業を省略できソケットであるソケットを挿し口体の受口部に挿入するだけの簡単な作業で足りるため組立て作業性に優れ、しかも施工後のナットの緩みや締付け不足の問題も解消できて水漏れ事故の発生を確実に防止できる。
とくに、ソケットカバーにより、不慮に何らかの外力や内圧による力によりストッパーリングがストッパーリング収容凹溝から外れるのを防止し、またソケットまたは挿し口体に引き抜き力が加えられたときストッパーリングがストッパーリング収容凹溝内でねじれ変形したり、ストッパーリングが給湯等でストッパーリング収容凹溝内で熱変形するのを抑える機能をも発揮することができ、これによりストッパーリングによる挿し口体とソケットの抜止め機能を堅持できて有利である。
【発明を実施するための最良の形態】
【００１７】
本発明の好適な実施形態を図面に基づき説明する。図１は本発明の一実施例を示す管継手の半欠截断面図、図２は図１におけるＡ−Ａ線断面図、図３は図１の管継手のソケットと挿し口体を分離した状態を示す半欠截断面図、図４は図１の管継手のストッパーリングの正面図、図５は図４におけるＢ−Ｂ線断面図、図６は図４におけるＣ−Ｃ線断面図、図７は図１の管継手のソケットカバーの背面図、図８は図７におけるＤ−Ｄ線断面図である。
【００１８】
本発明に係る管継手は、図１〜図３に示すように、ストレート型の挿し口体１、ストレート型のソケット２、ストッパーリング３、シールリング４、及びソケットカバー５を主要構成部材とする。
【００１９】
図１〜図３に示すように、ストレート型の挿し口体１はこれの一端に挿入側先端部６を有し、この挿入側先端部６の外周にシールリング４が収容される環状のシールリング収容凹溝７と、このシールリング収容凹溝７より軸方向内方側に並べて配される環状の抜止め溝８とを設けている。挿し口体１の他端部は、給水栓やバルブ等の器具（図示せず）に取り付けられる。
【００２０】
図４〜図６に示すように、ストッパーリング３はポリオキシメチレン（ＰＯＭ）等の樹脂や金属材料で開離両端部３ｂ，３ｂを有するＣ形状に形成されて弾性で拡縮変形自在なリング本体３ａと、このリング本体３ａの内周に内向きに一体に突設した複数個（図示例では３個）の抜止め爪９とを有する形に形成している。
【００２１】
図１〜図３に示すように、ストレート型のソケット２は、ポリブテン、ポリエチレン、塩化ビニルなど樹脂材料で短管状に形成される。ソケット２の一端には挿し口体１の挿入側先端部６を相対回転可能に挿入可能とする受口部１０を有し、この受口部１０の外周にはストッパーリング３が取外し可能に嵌め込まれるストッパーリング収容凹溝１１を設けている。ストッパーリング収容凹溝１１の溝底にはストッパーリング３の抜止め爪９に対応する爪挿通孔１２を設けている。ソケット２の他端には受口部１０の外径より小さい外径の小径管部２ｂを受口部１０に段部２ｃを介して連設している。ソケット２の他端の小径管部２ｂの内径は、該ソケット２の材料と同じようにポリブテン、ポリエチレン、塩化ビニルなど樹脂材料からなる樹脂管Ｐの一端部が挿入されて熱融着または電気融着等で接合できるように構成している。ソケット２と樹脂管Ｐとの接合手段としては熱融着・電気融着以外に、接着手段でも可能である。
【００２２】
ストッパーリング３はソケット２のストッパーリング収容凹溝１１に嵌め込まれると、図２に示すように、ストッパーリング３の抜止め爪９が爪挿通孔１２に挿通して該抜止め爪９の先端部９ａが受口部１０内へ突出するとともに、ストッパーリング３のリング本体３ａの外周面が受口部１０の外周面と略面一になるように納められるように構成している。図１のように、挿し口体１の挿入側先端部６がソケット２の受口部１０に所定深さにまで挿入されると、図２のようにストッパーリング収容凹溝１１が抜止め溝８の外周に対応し、爪挿通孔１２から突出する抜止め爪９の先端部９ａが抜止め溝８に係合するように構成されている。
【００２３】
シールリング４はＯリング等からなって、挿し口体１の挿入側先端部６のシールリング収容凹溝７にその外径部が挿入側先端部６の外周面より突出するように、一本または２本以上が軸方向に並べて収容される。
【００２４】
ソケットカバー５は、図７、図８に示すように、ポリエチレン、ポリプロピレン、ポリフェニールサルフォン（ＰＰＳＵ）等樹脂材で、ソケット２の受口部１０の外径と略同一の内径を有する筒状に形成している。とくに、ソケットカバー５がポリエチレンで成形される場合は補強機能を確保するために、その軸方向一端の開口端の内周に黄銅等金属製の補強リング１４を一体にインサート成形するかあるいは嵌合固定する。ソケットカバー５が機械的強度に優れるポリプロピレンやポリフェニールサルフォン（ＰＰＳＵ）等で成形される場合は、敢えて補強リング１４を一体にインサート成形するかあるいは嵌合固定する必要は無い。ソケットカバー５の軸方向他端の開口端には、ソケット２の小径管部２ｂの外径と略同一の内径を有する位置決め機能用の内向き鍔５ａを設けている。内向き鍔５ａの内周縁には内向き鍔５ａを拡縮変形自在とするための切欠１５を円周方向に列設している。
【００２５】
そして、このソケットカバー５は、ソケット２の外周に少なくともストッパーリング３のリング本体３ａの外周を覆うように被覆嵌合される。すなわち、ソケット２において小径管部２ｂの先端の外周に第１の環状リブ１６を設け、この第１の環状リブ１６と段部２ｃとの間に第２，３の環状リブ１７，１８を設ける。かくして、ソケットカバー５をこれの軸方向一端の開口端をソケット２の小径管部２ｂの先端から第１の環状リブ１６を乗り越えて小径管部２ｂの外周に嵌合し、内向き鍔５ａを第１，２環状リブ１６，１７間に停止させた状態に抜止め状態に装着する（図３参照）。図３のソケットカバー５の装着状態では、ストッパーリング３はソケットカバー５により覆われず露出する状態にあり、ストッパーリング３はソケット２のストッパーリング収容凹溝１１に対し着脱操作可能である。
【００２６】
図３に示すソケットカバー５の装着状態から更に該ソケットカバー５を受口部１０の方向に押し動かして第２，３環状リブ１７，１８を順次乗り越えるまでスライド移動させ、図１のように内向き鍔５ａをソケット２の段部２ｃに当接係合させるように第３環状リブ１８と段部２ｃとの間に停止させる。すると、ソケットカバー５が補強リング１４でストッパーリング３のリング本体３ａの外周を覆う状態を維持することになる。なお、ソケットカバー５は内向き鍔５ａの内周縁に切欠１５を設けているので、内向き鍔５ａが第１，２，３環状リブ１６，１７，１８を乗り越えるとき弾性により拡開変形して該環状リブ１６，１７，１８を乗り越え易い。
【００２７】
ソケットカバー５を補強リング１４がストッパーリング３のリング本体３ａの外周を覆う状態に嵌合した後においても、ストッパーリング３がストッパーリング収容凹溝１１に装着されているか否かを該ソケットカバー５の外部から容易に確認することができるようにソケットカバー５は透明もしくは半透明に形成しておくことが好ましい。この場合、ソケットカバー５は、ストッパーリング３に着色を施した色彩とは識別しやすい異色の着色透明または着色半透明に形成しておくことが、更に確認し易い点で好ましい。
【００２８】
次に、上記管継手の挿し口体１とソケット２を接続する要領について図１〜図３を参照して説明する。
【００２９】
先ず、挿し口体１の挿入側先端部６をソケット２の受口部１０に挿入するか、またはソケット２の受口部１０を挿し口体１の挿入側先端部６に挿入する。その挿入により図１のようにシールリング４がソケット２の受口部１０の内周面と挿し口体１の挿入側先端部６の外周との間で圧縮されてその間で水漏れのないシール状態が得られる。
【００３０】
しかる後、ストッパーリング３を一旦拡開させてソケット２のストッパーリング収容凹溝１１に嵌め込むと、該ストッパーリング３は弾性復元作用により縮小してストッパーリング３の抜止め爪９を爪挿通孔１２に挿通し、該抜止め爪９の先端部９ａが受口部１０の内方へ突出して挿し口体１の抜止め溝８に係合する。この係合によりソケット２が挿し口体１の挿入側先端部６から抜止めされる状態が得られる。
【００３１】
抜止め爪９の一つでも爪挿入孔１２に挿通されていない場合はストッパーリング３が受口部１０の外周面から浮上することになるので、これを容易に目視でき、ストッパーリング３の取付け不良を容易に確認することができる。
【００３２】
この接続状態ではソケット２は挿し口体１に対し相対回転可能であるので、図１のように予めソケット２に給水用等の樹脂管Ｐを接合した後でも、挿し口体１を給水栓、バルブ等の器具や管、あるいは他の管継手（図示せず）等にねじ込む等の接合手段で該器具等に挿し口体１を取付けても樹脂管Ｐの巻き癖によるねじれが影響されることなく取り付けることができる。因みに、ソケット２と挿し口体１が相対回転するときは抜止め爪９の先端部９ａは抜止め溝８内を摺動する。
【００３３】
上記のように、ストッパーリング３の抜止め爪９が挿し口体１の抜止め溝８に係合した状態によれば、施工後、地震などの外力により樹脂管Ｐと共にソケット２が抜出し方向に強く引っ張られるようなことがあってもソケット２が挿し口体１の挿入側先端部６から抜け出るのを確実に阻止できる。
【００３４】
一旦、挿し口体１とソケット２を接続した後においても、図２のようにストッパーリング収容凹溝１１内で向かい合う状態にあるストッパーリング３の開離両端部３ｂ，３ｂに指先を掛けて該ストッパーリング３を拡開させることによりストッパーリング収容凹溝１１から取り外すことができるため、挿し口体１とソケット２の分離・接続を簡易、迅速に行うことができる。
【００３５】
上記説明では挿し口体１とソケット２とを挿入接続した後に、ストッパーリング３をソケット２のストッパーリング収容凹溝１１に嵌め込む仕様を採るが、これに代えて、予め図３のようにストッパーリング３をソケット２のストッパーリング収容凹溝１１に嵌め込んでおき、しかる後、挿し口体１の挿入側先端部６をソケット２の受口部１０に挿入するか、またはソケット２の受口部１０を挿し口体１の挿入側先端部６に挿入して挿し口体１とソケット２とをシール状にかつ抜止め状に接続できるようにすることもできる。
そのためには、図１、図３、図４〜図６に示すように、ストッパーリング３の抜止め爪９の先端部９ａの一側面にスライド斜面１３を形成しておけばよい。これによりストッパーリング３をストッパーリング収容凹溝１１に装着した状態下でソケット２の受口部１０を挿し口体１の挿入側先端部６に挿入するに伴いストッパーリング３のスライド斜面１３が挿入側先端部６を滑って該ストッパーリング３が拡開しながらその挿入を可能にし、挿入後ストッパーリング３が弾性復元作用により縮小して抜止め爪９の先端部９ａを抜止め溝８に係合することになる。したがって、挿し口体１とソケット２とをワンタッチで接続することができる。
【００３６】
上記のようにストッパーリング３を用いて挿し口体１とソケット２とを抜止め状にかつシール状に接続した後においては、上述した要領でソケットカバー５をソケット２の外周に少なくともストッパーリング３のリング本体３ａの外周を覆うように被覆嵌合する。その際、ソケットカバー５が補強リング１４を備えている場合は、その補強リング１４がストッパーリング３のリング本体３ａの外周を覆うように被覆嵌合する。
このようにソケットカバー５をストッパーリング３の外周に被覆嵌合することにより、不慮に何らかの外力や内圧による力によりストッパーリング３がストッパーリング収容凹溝１１から外れたり、ソケット２または挿し口体１に加えられる引き抜き力によりストッパーリング３がストッパーリング収容凹溝１１内でねじれ変形したり、ストッパーリング３が給湯等でストッパーリング収容凹溝１１内で熱変形するのを抑制することができる。また、ソケットカバー５は、ストッパーリング３がストッパーリング収容凹溝１１に規定通り嵌め込まれている状態ではじめてソケット２に嵌合することができるのであって、仮にストッパーリング３がストッパーリング収容凹溝１１からはみ出る嵌め込み不良が生じていると、ソケットカバー５をソケット２に対し嵌合できないことになり、ソケットカバー５をソケット２に対し嵌合する操作でもってストッパーリング３がストッパーリング収容凹溝１１に規定通り嵌め込まれているか否かを簡単に確認することができる。
【００３７】
上記実施例ではソケット２および挿し口体１はそれぞれ軸方向に真直ぐな形状のストレート型とするが、これ以外に、それぞれをエルボ型あるいはティー型に形成するものにも適用できる。
【００３８】
また、本発明の管継手は、図９に示すように、スプリンクラー設備用のヘッダー２０にも適用できる。そのヘッダー２０は、円筒形状の胴部２１から上記実施例のものと同じ略形状の挿し口体１を複数個、分岐し、各挿し口体１に、樹脂管Ｐの一端部に熱融着または電気融着等で接合した上記実施例のものと略同じ形状のソケット２をワンタッチで接続できるようにしている。この場合においても、ソケット２を挿し口体１に接続した後においては、上記実施例の場合と同様に、ソケットカバー５をソケット２の外周にストッパーリング３のリング本体３ａの外周を覆うように被覆嵌合する。
【図面の簡単な説明】
【００３９】
【図１】本発明の一実施例を示す管継手の半欠截断面図である。
【図２】図１におけるＡ−Ａ線断面図である。
【図３】図１の管継手のソケットと挿し口体を分離した状態を示す半欠截断面図である。
【図４】図１の管継手のストッパーリングの正面図である。
【図５】図４におけるＢ−Ｂ線断面図である。
【図６】図４におけるＣ−Ｃ線断面図である。
【図７】図１の管継手のソケットカバーの背面図である。
【図８】図７におけるＤ−Ｄ線断面図である。
【図９】他の実施例の管継手をヘッダーに適用した場合の斜視図である。
【図１０】従来例の管継手の半欠截断面図である。
【符号の説明】
【００４０】
１ 挿し口体
２ ソケット
２ｂ 小径管部
２ｃ 段部
３ ストッパーリング
３ａ リング本体
３ｂ，３ｂ 開離両端部
４ シールリング
５ ソケットカバー
５ａ 内向き鍔
６ 挿入側先端部
８ 抜止め溝
９ 抜止め爪
９ａ 抜止め爪の先端部
１０ 受口部
１１ ストッパーリング収容凹溝
１２ 爪挿通孔
１３ スライド斜面
１４ 補強リング
１５ 切欠
１８ 環状リブ
【図１】
0005150190.tif 000002
【図２】
0005150190.tif 000003
【図３】
0005150190.tif 000004
【図４】
0005150190.tif 000005
【図５】
0005150190.tif 000006
【図６】
0005150190.tif 000007
【図７】
0005150190.tif 000008
【図８】
0005150190.tif 000009
【図９】
0005150190.tif 000010
【図１０】
0005150190.tif 000011